(57)【要約】入力装置は、第１の操作部と、第２の操作部とを備える。第１の操作部は、撮影またはコンテンツ再生のパラメータの調整に使用され、第１の軸に配置される。第２の操作部は、撮影またはコンテンツ再生のパラメータの調整に使用され、第１の軸とは相異なる傾きの第２の軸に配置される。第１の操作部に対する操作に割り当てられたパラメータの調整の単位と、第２の操作部に対する操作に割り当てられたパラメータの調整の単位とが、相異なる。
2013125132.tif 000002
【特許請求の範囲】
【請求項１】
撮影またはコンテンツ再生のパラメータの調整に使用される、第１の軸に配置された第１の操作部と、
前記パラメータの調整に使用される、前記第１の軸とは相異なる傾きの第２の軸に配置された第２の操作部と
を備え、
前記第１の操作部に対する操作に割り当てられた前記パラメータの調整の単位と、前記第２の操作部に対する操作に割り当てられた前記パラメータの調整の単位とが、相異なるパラメータ調整装置。
【請求項２】
前記パラメータが、静止画撮影に用いられるパラメータである請求項１に記載のパラメータ調整装置。
【請求項３】
前記パラメータが、動画撮影に用いられるパラメータとされ、
前記第１の操作部および前記第２の操作部のうちの一方が、前記パラメータの調整に使用されるときに、前記第１の操作部および前記第２の操作部のうちのもう一方に対してなされる操作が、無効とされる請求項１に記載のパラメータ調整装置。
【請求項４】
前記パラメータが、ズームパラメータである請求項１に記載のパラメータ調整装置。
【請求項５】
前記パラメータが、コンテンツの再生を開始させる箇所を指定するパラメータである請求項１に記載のパラメータ調整装置。
【請求項６】
前記第２の操作部に対する操作に割り当てられた前記パラメータの調整の単位が、前記第１の操作部に対する操作に割り当てられた前記パラメータの調整の単位に対して大とされる請求項１に記載のパラメータ調整装置。
【請求項７】
前記第１の操作部に対する操作に割り当てられた前記パラメータの調整の単位が、設定されているパラメータに応じて変化する請求項１に記載のパラメータ調整装置。
【請求項８】
前記第１の軸が、前記第２の軸に対して略直交する軸である請求項１に記載のパラメータ調整装置。
【請求項９】
前記第１の操作部および前記第２の操作部が、十字キーを構成する請求項８に記載のパラメータ調整装置。
【請求項１０】
前記第１の操作部および前記第２の操作部が、タッチパネルにより構成される請求項１に記載のパラメータ調整装置。
【請求項１１】
前記パラメータの調整に使用される、第３の操作部をさらに備え、
前記第３の操作部が、ダイヤル操作を受け付ける操作部である請求項１に記載のパラメータ調整装置。
【請求項１２】
前記第１の操作部に対する操作に割り当てられた前記パラメータの調整の単位と、前記第２の操作部に対する操作に割り当てられた前記パラメータの調整の単位と、前記第３の操作部に対する操作に割り当てられた前記パラメータの調整の単位とが、それぞれ異なる請求項１１に記載のパラメータ調整装置。
【請求項１３】
表示部をさらに備え、
前記表示部に表示される画面が、前記第１の操作部に対する操作および前記第２の操作部に対する操作のそれぞれに対して前記パラメータの調整の単位として相異なる調整の単位が割り当てられるときに、前記第１の軸および前記第２の軸に対して相異なる調整の単位を割り当てるための画面に遷移される請求項１に記載のパラメータ調整装置。
【請求項１４】
前記パラメータが、インジケータにより前記表示部に表示される請求項１３に記載のパラメータ調整装置。
【請求項１５】
撮像部をさらに備える請求項１に記載のパラメータ調整装置。
【請求項１６】
撮影またはコンテンツ再生のパラメータの調整に使用される、第１の軸に配置された第１の操作部と、前記パラメータの調整に使用される、前記第１の軸とは相異なる傾きの第２の軸に配置された第２の操作部とに対して、
前記第１の操作部に対する操作に割り当てられた前記パラメータの調整の単位および前記第２の操作部に対する操作に割り当てられた前記パラメータの調整の単位を、相異なる大きさとするパラメータ調整方法。
【請求項１７】
撮影またはコンテンツ再生のパラメータの調整に使用される、第１の軸に配置された第１の操作部と、前記パラメータの調整に使用される、前記第１の軸とは相異なる傾きの第２の軸に配置された第２の操作部とに対して、
前記第１の操作部に対する操作に割り当てられた前記パラメータの調整の単位および前記第２の操作部に対する操作に割り当てられた前記パラメータの調整の単位を、相異なる大きさとすること
をコンピュータに実行させるためのプログラムが記録された、コンピュータによる読み取りが可能な記録媒体。
【発明の詳細な説明】
【技術分野】
【０００１】
本開示は、パラメータ調整装置、パラメータ調整方法および記録媒体に関する。本開示は、特に、電子機器の操作性の向上に貢献するパラメータ調整装置、パラメータ調整方法および記録媒体に関する。
【背景技術】
【０００２】
近年、撮像装置をはじめとする、電子機器の機能の向上や多様化がめざましい。また、電子機器に対するユーザの要望も多様化してきている。例えば、撮像装置においては、より素早い画像ズーミングや、より細かい画像ズーミングといった要求がある。【０００３】
一方、ユーザのニーズの多様化に伴い、電子機器の操作が複雑化する傾向もある。例えば、入力操作のためのボタンやキーなどが増加してしまうと、電子機器に対する、ユーザの操作性が損なわれてしまう。【０００４】
そのため、例えば、下記の特許文献１には、操作部に対して加えられた操作がクリック操作である場合に光学ズームを実行させ、操作部に対して加えられた操作がいわゆる長押し操作である場合にデジタルズームを実行させるようにすることが記載されている。
【先行技術文献】
【特許文献】
【０００５】
【特許文献１】特開２００４−２６０４３１号公報
【発明の概要】
【発明が解決しようとする課題】
【０００６】
しかしながら、特許文献１に記載の技術では、例えば、ユーザは、１つのキーに対して細かい操作を行わなければならない。また、１つのキーに対して２つの制御方式が割り当てられているため、誤操作のおそれがある。【０００７】
電子機器における操作性の向上が望まれている。
【課題を解決するための手段】
【０００８】
本開示の第１の好ましい実施態様は、パラメータ調整装置が、第１の操作部と、第２の操作部とを備える。第１の操作部は、撮影またはコンテンツ再生のパラメータの調整に使用され、第１の軸に配置される。第２の操作部は、パラメータの調整に使用され、第１の軸とは相異なる傾きの第２の軸に配置される。第１の操作部に対する操作に割り当てられたパラメータの調整の単位と、第２の操作部に対する操作に割り当てられたパラメータの調整の単位とが、相異なる。【０００９】
本開示の第２の好ましい実施態様は、撮影またはコンテンツ再生のパラメータの調整に使用される、第１の軸に配置された第１の操作部と、パラメータの調整に使用される、第１の軸とは相異なる傾きの第２の軸に配置された第２の操作部とに対して、第１の操作部に対する操作に割り当てられたパラメータの調整の単位および第２の操作部に対する操作に割り当てられたパラメータの調整の単位を、相異なる大きさとするパラメータ調整方法である。【００１０】
本開示の第３の好ましい実施態様は、撮影またはコンテンツ再生のパラメータの調整に使用される、第１の軸に配置された第１の操作部と、パラメータの調整に使用される、第１の軸とは相異なる傾きの第２の軸に配置された第２の操作部とに対して、第１の操作部に対する操作に割り当てられたパラメータの調整の単位および第２の操作部に対する操作に割り当てられたパラメータの調整の単位を、相異なる大きさとすることをコンピュータに実行させるためのプログラムが記録された、コンピュータによる読み取りが可能な記録媒体である。
【発明の効果】
【００１１】
少なくとも１つの実施例によれば、電子機器における操作性を向上させることができる。
【図面の簡単な説明】
【００１２】
図１Ａは、本開示の実施形態にかかるパラメータ調整装置を備える撮像装置の一例を示す概略図である。図１Ｂは、表示部に表示される画像の一例を示す画像図である。
図２Ａは、撮像装置の概略的構成を示す図である。図２Ｂは、入力装置、表示部および撮像部を備えるパラメータ調整装置の一構成例を示すブロック図である。
図３Ａは、撮像装置に備えられた入力装置および表示部を示す図である。図３Ｂは、本開示の実施形態にかかるパラメータ調整装置としての入力装置を拡大して示す図である。
図４Ａおよび図４Ｂは、ズーム設定画面に表示されるインジケータの例を示す図である。図４Ｃは、パラメータ調整装置としての入力装置からの指示に対する、電子機器の制御の一例を示すフローチャートである。
図５Ａは、パラメータ調整装置の第１の変形例の適用された撮像装置の概略図である。図５Ｂは、パラメータ調整装置としての入力装置を拡大して示す図である。
図６は、電子機器の姿勢に応じた、電子機器の制御の一例を示すフローチャートである。
図７Ａは、パラメータ調整装置の第３の変形例の適用された撮像装置の概略図である。図７Ｂは、パラメータ調整装置としての入力装置を拡大して示す図である。
図８Ａは、第２の実施形態にかかるパラメータ調整装置を備える撮像装置を示す図である。図８Ｂおよび図８Ｃは、表示部に表示される画像の一例を示す画像図である。
図９は、パラメータ調整装置としての入力装置からの指示に対する、電子機器の制御の一例を示すフローチャートである。
図１０Ａは、第３の実施形態にかかるパラメータ調整装置を備える撮像装置を示す正面図である。図１０Ｂは、第３の実施形態にかかるパラメータ調整装置を備える撮像装置を示す背面図である。図１０Ｃは、表示部に表示される画像の一例を示す画像図である。図１０Ｄは、撮像装置に対する入力操作の他の一例を説明するための概略図である。
【発明を実施するための形態】
【００１３】
以下、パラメータ調整装置、パラメータ調整方法および記録媒体の実施形態について説明する。説明は、以下の順序で行う。
＜１．第１の実施形態＞
［１−１．パラメータ調整装置の概略的構成］
（１−１−１．撮像装置）
（１−１−２．入力装置）
［１−２．パラメータ調整装置の第１の変形例］
［１−３．パラメータ調整装置の第２の変形例］
［１−４．パラメータ調整装置の第３の変形例］
＜２．第２の実施形態＞
［２−１．パラメータ調整装置の概略的構成］
＜３．第３の実施形態＞
［３−１．パラメータ調整装置の概略的構成］
＜４．変形例＞
【００１４】
なお、以下に説明する実施形態は、パラメータ調整装置、パラメータ調整方法および記録媒体の好適な具体例である。以下の説明においては、技術的に好ましい種々の限定が付されているが、特に本開示を限定する旨の記載がない限り、パラメータ調整装置、パラメータ調整方法および記録媒体の例は、以下に示す実施形態に限定されないものとする。
【００１５】
＜１．第１の実施形態＞
［１−１．パラメータ調整装置の概略的構成］
図１Ａは、本開示の実施形態にかかるパラメータ調整装置を備える撮像装置の一例を示す概略図である。図１Ｂは、表示部に表示される画像の一例を示す画像図である。
【００１６】
図１Ａに示すように、本開示のパラメータ調整装置としての入力装置１は、例えば、デジタル方式のカメラなどの撮像装置１０の筺体に配置される。パラメータ調整装置が例えばデジタル方式のカメラに適用される場合には、図１Ａに示すように、被写体像が、例えば、撮像装置１０の筺体に配置された表示部３に表示される。
【００１７】
図１Ａでは、インジケータ７により現在のズームの倍率が表示される構成例を示している。図１Ａに示す構成例では、現在のズームの倍率を示すインジケータ７が、被写体像と重畳して表示部３に表示されている。
【００１８】
図１Ａおよび図１Ｂに示すように、撮像装置１０のユーザは、パラメータ調整装置としての入力装置１を操作することにより、例えば、被写体像に関するズームの倍率などを変更することができる。
【００１９】
以下、本開示の実施形態の理解を容易とするために、まず、撮像装置の一般的な構成について説明する。なお、以下では、パラメータ調整装置の適用された撮像装置１０が、デジタル方式の一眼レフカメラであるものとして説明するが、パラメータ調整装置の適用できる撮像装置はこの例に限られない。例えば、撮像装置１０が、デジタル方式の一眼カメラ（ミラーレス一眼デジタルカメラとも呼ばれる。）や、デジタル方式のペリクルミラー内蔵型カメラ、いわゆるコンパクトデジタルカメラなどであってももちろんかまわない。
【００２０】
（１−１−１．撮像装置）
図２Ａは、撮像装置の概略的構成を示す図である。なお、図２Ａでは、電源やレリーズボタンなどの図示を省略している。他の図面においても、同様とする。
【００２１】
図２Ａに示すように、撮像装置１０は、例えば、本体部１０ｂと、本体部１０ｂに対する着脱が自在とされたレンズユニット１０ａとから構成される。もちろん、本体部１０ｂとレンズユニット１０ａとが一体とされていてもかまわない。
【００２２】
レンズユニット１０ａの鏡筒の内部には、例えば、レンズ５１、５３、絞り５５などが配置される。例えば、レンズ５３は、レンズ駆動機構５７により移動が自在とされ、レンズ５３が移動されることにより、光学ズームやオートフォーカス動作が可能とされている。また、絞り５５は、絞り駆動機構５９により、絞り５５の開きの調整が自在とされている。
【００２３】
レンズユニット１０ａは、本体部１０ｂに装着されることにより、電気接点１０ｅを介して本体部１０ｂと電気的に接続される。したがって、レンズ駆動機構５７や絞り駆動機構５９を駆動させるための電力や制御信号は、電気接点１０ｅを介して本体部１０ｂからレンズユニット１０ａに送られる。
【００２４】
本体部１０ｂの筺体の内部には、例えば、制御部６１、記憶装置９、撮像部５、シャッタ６３、シャッタ駆動機構６５、可動ミラー６７および撮像部６９などが格納されている。また、筺体の外部には、例えば、入力装置１および表示部３が設けられている。
【００２５】
制御部６１は、プロセッサを含む処理装置であり、制御部６１は、例えば、デジタルシグナルプロセッサ（Ｄｉｇｉｔａｌ  Ｓｉｇｎａｌ  Ｐｒｏｃｅｓｓｏｒ（ＤＳＰ））やＣＰＵ（ｃｅｎｔｒａｌ  ｐｒｏｃｅｓｓｉｎｇ  ｕｎｉｔ）として構成される。制御部６１は、入力装置などからの入力に応じて、撮像装置１０の各部を制御するとともに、処理の結果を表示部３に表示させる。制御部６１は、入力装置１からの入力に応じて、例えば、後述する撮像部５により取得される、被写体に関する画像情報に対するトリミングを行い、デジタルズームの結果を表示部３に表示させる。
【００２６】
各種の演算処理や、撮像装置１０の各部の制御を行うためのプログラムは、例えば、制御部６１に配置された記憶部７１や、制御部６１に接続された記憶装置９などに格納される。
【００２７】
記憶装置９は、例えば、撮像装置１０に対して着脱が自在とされた外部記憶装置と、本体部の内部に固定された内部記憶装置とを含んでいる。撮影により得られた画像データは、記憶装置９に保存される。画像データを、外部記憶装置または内部記憶装置のいずれに保存させるかは、例えば、ユーザが任意に設定可能とされている。
【００２８】
撮像部５および撮像部６９は、ＣＣＤ（ｃｈａｒｇｅ−ｃｏｕｐｌｅｄ  ｄｅｖｉｃｅ）やＣＭＯＳ（ｃｏｍｐｌｅｍｅｎｔａｒｙ  ｍｅｔａｌ−ｏｘｉｄｅ  ｓｅｍｉｃｏｎｄｕｃｔｏｒ）などの撮像素子を備え、光電変換により、被写体に関する画像情報を取得する。
【００２９】
撮像部５の前面には、本体部１０ｂの内部において、上方に向けて跳ね上げ可能な可動ミラー６７が配置される。可動ミラー６７は、被写体からの光を、撮像部５または撮像部６９のいずれに到達させるかを切り替えるためのミラーである。
【００３０】
例えば、図２Ａに示すように、可動ミラー６７が、被写体からの光に関する光軸に対して傾けられた状態においては、被写体からの光が可動ミラー６７に反射されることにより、被写体からの光が撮像部６９に入射する。このとき、撮像部６９により取得された画像信号は、制御部６１により、デジタルゲイン調整やガンマ補正、色補正、コントラスト補正などの画像処理がなされた後、映像信号として表示部３に供給される。
【００３１】
図２Ａでは、可動ミラー６７に反射された光が撮像部６９に導かれる例を示したが、可動ミラー６７に反射された光が、例えば、ペンタプリズム内で反射した後、光学式ファインダに導かれるようにしてもよい。この場合、ユーザは、光学式ファインダを通して、被写体を確認することができる。
【００３２】
本体部１０ｂの背面などに設けられる表示部３は、例えば、液晶ディスプレイ（Ｌｉｑｕｉｄ  Ｃｒｙｓｔａｌ  Ｄｉｓｐｌａｙ（ＬＣＤ））や有機ＥＬ（Ｅｌｅｃｔｒｏｌｕｍｉｎｅｓｃｅｎｃｅ：電界発光効果）ディスプレイなどのフラットディスプレイである。表示部３は、必要に応じて、タッチパネルなどとされ、ユーザからの指示を受け取る入力装置の機能を備える表示部とされる。
【００３３】
一方、可動ミラー６７が被写体からの光に関する光軸から退避すると、被写体からの光は、シャッタ６３および撮像部５に導かれることになる。シャッタ駆動機構６５によりシャッタ動作が行われることで、被写体からの光が撮像部５に到達し、被写体に関する画像信号が取得される。撮像部５により取得された画像信号は、ユーザの指示に応じ、制御部６１を介して記憶装置９に送出され、画像データとして保存される。
【００３４】
（１−１−２．入力装置）
図２Ｂは、入力装置、表示部および撮像部を備えるパラメータ調整装置の一構成例を示すブロック図である。図２Ｂにパラメータ調整装置１０１として示すように、デジタル方式のカメラにおいては、ユーザは、例えば、表示部３に表示される画像を確認しながら入力装置１を操作することにより画角を調整して、撮像部５の光電変換の作用により、被写体の撮影を行う。
【００３５】
本開示の実施形態にかかるパラメータ調整装置は、具体的には、例えば、画角の調整のために、撮像装置に対してズームインまたはズームアウトを指示するための操作手段として構成される。以下の説明により明らかにされるように、本開示の実施形態にかかるパラメータ調整装置は、ユーザに対して、優れた操作性を提供する。
【００３６】
図３Ａは、撮像装置に備えられた入力装置および表示部を示す図である。図３Ａに示すように、入力装置１および表示部３は、例えば、撮像装置１０の本体部の背面に配置される。なお、以下の説明においては、鉛直上方をＺ軸の方向にとり、したがって、ＸＹ平面が水平面であるものとする。すなわち、図３Ａに示す状態においては、撮像装置１０の底面は、水平面とほぼ平行である。以下では、撮像装置の底面が水平面とほぼ平行とされた状態を、“水平状態”と適宜称する。
【００３７】
図３Ｂは、本開示の実施形態にかかるパラメータ調整装置としての入力装置を拡大して示す図である。
【００３８】
図３Ｂに示すように、パラメータ調整装置としての入力装置１は、第１の操作部Ｍ１と、第２の操作部Ｍ２とを備えている。第１の操作部Ｍ１および第２の操作部Ｍ２は、第１の軸および第２の軸にそれぞれ配置される。図３Ｂにおいては、破線で囲むことにより、第１の操作部Ｍ１および第２の操作部Ｍ２をそれぞれ示し、第１の軸および第２の軸を、“α軸”および“β軸”としてそれぞれ示した。
【００３９】
第１の軸および第２の軸は、図３Ｂに示すように、相異なる傾きとされる。第１の軸および第２の軸は、例えば、互いにほぼ直交する方向に設定される。図３Ｂでは、水平状態において、第１の軸がＸ軸とほぼ平行とされ、第２の軸がＺ軸とほぼ平行とされた構成例を示している。
【００４０】
図３Ｂに示す構成例では、第１の軸および第２の軸が、互いにほぼ直交する方向に設定されている。したがって、図３Ｂに示す構成例は、第１の操作部Ｍ１と、第２の操作部Ｍ２とからなる十字キーとして入力装置１が構成された例である。
【００４１】
入力装置１の第１の操作部Ｍ１および第２の操作部Ｍ２は、例えば、撮像装置における撮影またはコンテンツ再生のパラメータの調整に使用される操作部である。本開示では、第１の操作部Ｍ１に対する操作に割り当てられたパラメータの調整の単位と、第２の操作部Ｍ２に対する操作に割り当てられたパラメータの調整の単位とが、相異なるものとされる。
【００４２】
第１の操作部Ｍ１に対する操作および第２の操作部Ｍ２に対する操作に割り当てられるパラメータとしては、例えば、静止画撮影の際の画像ズーミングの程度を指定するためのパラメータが挙げられる。
【００４３】
ところで、十字キーは、第１の軸および第２の軸の２つの軸を備えるため、一般的に、十字キーに対しては、例えば、表示部に表示された各種設定のためのメニュー項目の選択や、表示部にサムネイル表示された画像データの選択といった機能が割り当てられる。言い換えれば、通常、十字キーの第１の軸に対する操作および第２の軸に対する操作のそれぞれに対して、画像ズーミングの程度など、単一のパラメータを調整するための機能が割り当てられることはない。
【００４４】
本開示では、例えば、ズームインまたはズームアウトを指示するための画面（以下、“ズーム設定画面”と適宜称する。）が用意され、例えば、モード切り替えボタンＳｗの押下などにより、表示部３に表示される画面が、ズーム設定画面に遷移される。ズーム設定画面は、図１Ｂに示したように、例えば、被写体像と重畳して、現在のズームの倍率がインジケータ７により表示された画面である。
【００４５】
ズーム設定画面は、第１の軸および第２の軸に対して相異なる調整の単位を割り当てるための画面である。パラメータ調整装置がズーム設定画面を備えることにより、撮像装置におけるズームインまたはズームアウトの場面においても、第１の軸および第２の軸の両方を有効に活用することができる。また、パラメータ調整装置がズーム設定画面を備えていると、第１の軸に対する操作および第２の軸に対する操作のそれぞれに対して、単一のパラメータを調整するための機能が割り当てられた場合であっても、ユーザは、パラメータ調整装置を直感的に操作できる。
【００４６】
以下では、パラメータ調整装置としての入力装置１が、静止画撮影の際のズームインまたはズームアウトを指示するための操作手段とされた例について説明する。なお、撮像装置におけるズームインまたはズームアウトは、デジタルズームまたは光学ズームのいずれであってもよい。
【００４７】
本開示においては、具体的には、第１の操作部Ｍ１に対する操作および第２の操作部Ｍ２に対する操作が、画像ズーミングの程度を指定するための操作とされる。さらに、本開示では、上述したように、第１の操作部Ｍ１に対する操作に割り当てられたパラメータの調整の単位と、第２の操作部Ｍ２に対する操作に割り当てられたパラメータの調整の単位とが、相異なるものとされる。
【００４８】
具体的には、第１の操作部Ｍ１への操作に対しては、例えば、表示部３に表示される被写体の画像が第１の操作部Ｍ１の押下時間に応じてシームレスに（連続的に）変化するような画像ズーミングの調整の単位が設定されている。すなわち、ユーザは、第１の操作部Ｍ１を所望の時間だけ連続して操作（押下）することにより、シームレスに変化する画像を確認しながら、撮像装置１０におけるズームの倍率を調整することができる。
【００４９】
表示部３に表示される被写体の画像の変化をシームレスな変化とするために、第１の操作部Ｍ１に対する操作に割り当てられた画像ズーミングの調整の単位が、画像のズーム倍率に応じて変化するように設定されていることが好ましい。例えば、画像のズーム倍率を横軸にとり、画像ズーミングの調整の単位を縦軸にとってグラフ表示した場合に、グラフが横軸に平行とならないようにされることが好ましい。
【００５０】
第２の操作部Ｍ２への操作に対しては、例えば、表示部３に表示される被写体の画像が第２の操作部Ｍ２の押下回数に応じて離散的に変化するような画像ズーミングの調整の単位が設定されている。すなわち、ユーザは、第２の操作部Ｍ２を所望の回数だけ操作（押下）することにより、離散的に変化する画像を確認しながら、撮像装置１０におけるズームの倍率を調整することができる。
【００５１】
第２の操作部Ｍ２への操作に対する画像ズーミングの調整の単位としては、例えば、１倍、１．４倍、２倍、２．８倍、．．．など、対数的に変化するような単位が設定されている。すなわち、第２の操作部Ｍ２に対する操作に割り当てられたパラメータの調整の単位が、第１の操作部Ｍ１に対する操作に割り当てられたパラメータの調整の単位に対して大とされる。
【００５２】
したがって、ユーザは、第２の操作部Ｍ２を操作しておおまかな画角の調整を行い、第１の操作部Ｍ１を操作して画角の微調整を行うといったことができる。なお、第１の操作部Ｍ１への操作に対して、シームレスな画像ズーミングの調整の単位を設定し、第２の操作部Ｍ２への操作に対して、離散的な画像ズーミングの調整の単位を設定するようにしてももちろんかまわない。このように、本開示によれば、シームレスな画像ズーミングと離散的な画像ズーミングとを組み合わせて実行させることができる。
【００５３】
なお、本開示では、一の入力装置における第１の軸に対する操作および第２の軸に対する操作のそれぞれに対して、単一のパラメータを調整するための機能が割り当てられている。そのため、ユーザが、第１の軸に対する操作に伴うパラメータの変化量および第２の軸に対する操作に伴うパラメータの変化量をそれぞれ認識できることが好ましい。
【００５４】
そこで、本開示では、例えば、現在のズームの倍率を示すインジケータ７が、ズーム設定画面に表示されるようにしている。
【００５５】
図４Ａおよび図４Ｂは、ズーム設定画面に表示されるインジケータの例を示す図である。図４Ａおよび図４Ｂでは、現在のズームの倍率を黒色の四角形で示している。図４Ａは、横向きに配置されたインジケータ７ｈの例を示し、図４Ｂは、縦向きに配置されたインジケータ７ｖの例を示している。なお、インジケータ７を横向きに配置するか、縦向きに配置するかは、例えば、パラメータ調整装置を備える電子機器の製造者が、任意に設定することができる。
【００５６】
インジケータ７は、パラメータの調整量の変化をユーザにフィードバックするための表示である。図４Ａおよび図４Ｂに示すように、インジケータ７には、例えば、目盛りが付されている。
【００５７】
目盛りは、シームレスな画像ズーミングによるパラメータの変化量と、離散的な画像ズーミングによるパラメータの変化量とをユーザが認識できるようにするために、インジケータ７に付されている。したがって、ユーザは、インジケータ７を参照することにより、第１の操作部Ｍ１に対する操作によるパラメータの調整量の変化と、第２の操作部Ｍ２に対する操作によるパラメータの調整量の変化とを、一目で判断することができる。
【００５８】
インジケータ７は、ズーム設定画面だけではなく、他の画面においても表示されるようにされていてももちろんかまわない。
【００５９】
図４Ｃは、パラメータ調整装置としての入力装置からの指示に対する、電子機器の制御の一例を示すフローチャートである。図４Ｃを参照して以下に説明する一連の処理は、例えば、制御部６１により実行される。ここでは、表示部３に表示されている画面が、ズーム設定画面に遷移された状態にあるものとする。
【００６０】
まず、ステップＳｔ１において、ユーザによる、入力装置１への入力があったか否かが判断される。
【００６１】
ユーザによる入力操作が、第１の軸に配置された第１の操作部Ｍ１に対する操作であった場合には、ステップＳｔ２において、表示部３に表示される画像が、シームレスに変化させられる。一方、ユーザによる入力操作が、第２の軸に配置された第２の操作部Ｍ２に対する操作であった場合には、ステップＳｔ３において、表示部３に表示される画像が、対数的なステップで離散的に変化させられる。
【００６２】
次に、ステップＳｔ４において、パラメータの調整量の変化に応じて、インジケータ７の画像が書き換えられる。
【００６３】
以上に説明したように、本開示では、一の入力装置における第１の軸に対する操作および第２の軸に対する操作のそれぞれに対して、単一のパラメータの調整の機能が割り当てられ、さらに、パラメータの調整の単位が、相異なるものとされている。そのため、シームレスな画像ズーミングと離散的な画像ズーミングとを、例えば、一の入力装置における左右方向および上下方向に対する操作で実行させることができる。したがって、本開示によれば、シームレスな画像ズーミングの機能と離散的な画像ズーミングの機能とを、同一の操作感で実現することができる。
【００６４】
さらに、本開示によれば、シームレスな画像ズーミングの機能と離散的な画像ズーミングの機能とがそれぞれ別個の入力装置に割り当てられている場合と比較して、素早いズームインまたはズームアウトが可能である。例えば、ズームインまたはズームアウトの量が大きい場合であってもズームボタンを押し続ける必要がなく、シャッタチャンスを逃してしまうということもない。
【００６５】
［１−２．パラメータ調整装置の第１の変形例］
図５Ａは、パラメータ調整装置の第１の変形例の適用された撮像装置の概略図である。図５Ｂは、パラメータ調整装置としての入力装置を拡大して示す図である。
【００６６】
図５Ａおよび図５Ｂに示すように、入力装置１ａは、第１の操作部Ｍ１と、第２の操作部Ｍ２とを備える点で、上述した入力装置１と共通する。また、入力装置１ａは、第１の操作部Ｍ１に対する操作に割り当てられたパラメータの調整の単位と、第２の操作部Ｍ２に対する操作に割り当てられたパラメータの調整の単位とが、相異なるものとされる点で、上述した入力装置１と共通する。
【００６７】
ここで、第１の変形例では、電子機器の姿勢に応じて、第１の操作部Ｍ１に対する操作により実現される機能と、第２の操作部Ｍ２に対する操作により実現される機能とが相互に入れ替えられる点で、上述したパラメータ調整装置としての入力装置１と相違する。具体的には、パラメータ調整装置の適用された電子機器の姿勢に応じて、第１の操作部Ｍ１に対する操作に割り当てられたパラメータの調整の単位と、第２の操作部Ｍ２に対する操作に割り当てられたパラメータの調整の単位とが、相互に入れ替えられる。
【００６８】
本開示のパラメータ調整装置の適用される電子機器として、例えば、撮像装置が選択される場合、撮像装置の特性上、撮像装置が水平状態とは異なる状態で使用される状況が考えられる。例えば、図５Ａに示すように、ユーザが撮像装置を縦にかまえて撮影を行うことも考えられる。図５Ａでは、撮像装置１１が水平状態からほぼ−９０°だけ回転されて、撮像装置１１の底面がＹＺ面とほぼ平行とされた状態を示している。以下では、撮像装置の底面がＹＺ面とほぼ平行とされた状態を、“垂直状態”と適宜称する。
【００６９】
撮像装置が垂直状態にある場合、入力装置もほぼ−９０°（または＋９０°）だけ回転された状態にある。そこで、パラメータ調整装置の第１の変形例では、撮像装置が水平状態にあるか、または垂直状態にあるかに応じて、シームレスな画像ズーミングの機能と離散的な画像ズーミングの機能とを相互に入れ替えるようにしている。
【００７０】
例えば、撮像装置１１が水平状態にある場合には、第１の操作部Ｍ１への操作に対する、画像ズーミングの調整の単位が、表示部３に表示される被写体の画像が第１の操作部Ｍ１の押下時間に応じてシームレスに変化するような単位とされる。また、第２の操作部Ｍ２への操作に対する、画像ズーミングの調整の単位が、表示部３に表示される被写体の画像が第２の操作部Ｍ２の押下回数に応じて離散的に変化するような単位とされる。
【００７１】
一方、撮像装置１１が垂直状態にある場合には、第１の操作部Ｍ１への操作に対する、画像ズーミングの調整の単位が、表示部３に表示される被写体の画像が第１の操作部の押下回数に応じて離散的に変化するような単位とされる。また、第２の操作部Ｍ２への操作に対する、画像ズーミングの調整の単位が、表示部３に表示される被写体の画像が第２の操作部Ｍ２の押下時間に応じてシームレスに変化するような単位とされる。
【００７２】
図６は、電子機器の姿勢に応じた、電子機器の制御の一例を示すフローチャートである。図６を参照して以下に説明する一連の処理は、例えば、制御部６１により実行される。ここでは、表示部３に表示されている画面が、ズーム設定画面に遷移された状態にあるものとする。
【００７３】
まず、ステップＳｔ１０において、パラメータ調整装置の適用された電子機器が水平状態にあるか、または垂直状態にあるかが判断される。なお、電子機器の姿勢の検知は、例えば、加速度センサやジャイロセンサなどのセンサを電子機器に組み込むことで実現できる。
【００７４】
パラメータ調整装置の適用された電子機器が水平状態にあると判断された場合は、処理はステップＳｔ１１に進められる。
【００７５】
ステップＳｔ１１においては、ユーザによる、入力装置１ａへの入力があったか否かが判断される。
【００７６】
ユーザによる入力操作が、第１の軸に配置された第１の操作部Ｍ１に対する操作であった場合には、ステップＳｔ１２において、表示部３に表示される画像が、シームレスに変化させられる。一方、ユーザによる入力操作が、第２の軸に配置された第２の操作部Ｍ２に対する操作であった場合には、ステップＳｔ１３において、表示部３に表示される画像が、対数的なステップで離散的に変化させられる。
【００７７】
次に、ステップＳｔ１４において、パラメータの調整量の変化に応じて、インジケータ７の画像が書き換えられる。
【００７８】
一方、ステップＳｔ１０において、電子機器が水平状態にない、すなわち、電子機器が垂直状態にあると判断された場合は、処理はステップＳｔ１５に進められる。
【００７９】
ステップＳｔ１５においては、ユーザによる、入力装置１ａへの入力があったか否かが判断される。
【００８０】
ユーザによる入力操作が、第１の軸に配置された第１の操作部Ｍ１に対する操作であった場合には、ステップＳｔ１６において、表示部３に表示される画像が、対数的なステップで離散的に変化させられる。一方、ユーザによる入力操作が、第２の軸に配置された第２の操作部Ｍ２に対する操作であった場合には、ステップＳｔ１７において、表示部３に表示される画像が、シームレスに変化させられる。
【００８１】
次に、ステップＳｔ１４において、パラメータの調整量の変化に応じて、インジケータ７の画像が書き換えられる。
【００８２】
なお、パラメータ調整装置の適用された電子機器が水平状態にあるか、または垂直状態にあるかに応じて、インジケータの向きを調整するようにしてもよい。例えば、撮像装置が水平状態にあるときには、インジケータを横向きに表示し、撮像装置が垂直状態にあるときにも、インジケータが横向きに表示されるようにしておけば、ユーザは、パラメータの調整量の変化を直観的に理解しやすい。
【００８３】
また、水平状態から垂直状態への回転の方向としては、−９０°または＋９０°の２通りが考えられる。そのため、例えば、ユーザから見て左側に位置するキーへの操作に対してはズームアウトを常に割り当て、右側に位置するキーへの操作に対してはズームインを常に割り当てるようにしておけば、ユーザは、入力と結果との関連性を直観的に理解しやすい。
【００８４】
このように、パラメータ調整装置の第１の変形例においては、第１の軸および第２の軸のそれぞれに機能を割り当て、パラメータ調整装置の適用された電子機器の姿勢に応じて、第１の軸および第２の軸のそれぞれに割り当てられた機能を相互に入れ替えるようにしている。そのため、ユーザの操作感が損なわれることがなく、ユーザは、パラメータ調整装置の適用された電子機器が水平状態にあるか、または垂直状態にあるかを気にせずに、所望する動作を電子機器に実行させることができる。
【００８５】
［１−３．パラメータ調整装置の第２の変形例］
上述した第１の変形例においては、パラメータ調整装置の適用された電子機器の姿勢に応じて、第１の軸および第２の軸のそれぞれに割り当てられた機能が相互に入れ替えられたが、本例においては、一方の軸に割り当てられた機能が無効とされる。
【００８６】
近年、静止画撮影および動画撮影の機能を併せ持つ撮像装置が一般的となっているが、動画撮影においては、シームレスな画像ズーミングの調整が求められる。いま、例えば、第１の操作部Ｍ１への操作に対する、画像ズーミングの調整の単位が、表示部３に表示される被写体の画像が第１の操作部Ｍ１の押下時間に応じてシームレスに変化するような単位に設定されているとする。このとき、パラメータ調整装置の第２の変形例では、ユーザの意図しない急激な画角の変化が起こらぬよう、第２の操作部Ｍ２に対する操作が、無効な操作とされる。
【００８７】
なお、一方の軸に割り当てられた機能が無効にされることとともに、パラメータ調整装置の適用された電子機器の姿勢に応じた、第１の軸および第２の軸のそれぞれに割り当てられた機能の入れ替えがなされてもよい。
【００８８】
すなわち、例えば、撮像装置が水平状態にある場合には、第１の操作部Ｍ１への操作に対する、画像ズーミングの調整の単位が、表示部３に表示される被写体の画像が第１の操作部Ｍ１の押下時間に応じてシームレスに変化するような単位に設定される。このとき、第２の操作部Ｍ２に対する操作は、無効とされる。
【００８９】
一方、撮像装置が垂直状態にある場合には、第２の操作部Ｍ２への操作に対する、画像ズーミングの調整の単位が、表示部３に表示される被写体の画像が第２の操作部Ｍ２の押下時間に応じてシームレスに変化するような単位に設定される。このとき、第１の操作部Ｍ１に対する操作が、無効とされる。
【００９０】
このように、ユーザによる誤操作を防止する観点から、第１の操作部Ｍ１または第２の操作部Ｍ２に対する操作に割り当てられるパラメータとして、動画撮影におけるパラメータが選択される場合、一方の軸に割り当てられた機能を無効とすることが便宜である。すなわち、動画撮影においては、第１の操作部Ｍ１および第２の操作部Ｍ２のうちの一方をパラメータの調整に使用し、他方に対してなされる操作を無効とすることにより、ユーザの意図しない急激な画角の変化を防止することができる。
【００９１】
［１−４．パラメータ調整装置の第３の変形例］
図７Ａは、パラメータ調整装置の第３の変形例の適用された撮像装置の概略図である。図７Ｂは、パラメータ調整装置としての入力装置を拡大して示す図である。
【００９２】
図７Ａおよび図７Ｂに示すように、入力装置１ｃは、第１の操作部Ｍ１と、第２の操作部Ｍ２とを備える点で、上述した入力装置１と共通する。本例においては、図７Ａおよび図７Ｂに示すように、パラメータ調整装置としての入力装置１ｃが、第３の操作部Ｍ３をさらに備える点で、上述した入力装置１と相違する。
【００９３】
第３の操作部Ｍ３は、例えば、ダイヤル操作を受け付ける操作部とされる。すなわち、入力装置１ｃは、図７Ｂにおいて矢印Ｒｅにより示すように、例えば、入力装置１ｃの面内において回転自在なホイールｗを備えている。ホイールｗは、例えば、複数個のノッチが設けられることにより、あらかじめ定められた角度分の回転ごとに、ユーザが適度なクリック感が得られるようにされている。すなわち、ユーザは、ダイヤル操作の際の感触により、ホイールｗの回転量を把握することができる。
【００９４】
第３の操作部Ｍ３は、ホイールｗの回転軸に対応した第３の軸に配置される。図７Ｂにおいては、第３の軸を、“γ軸”として示した。図７Ｂに示すγ軸は、α軸およびβ軸に対して垂直な軸である。
【００９５】
第３の操作部Ｍ３は、第１の操作部Ｍ１および第２の操作部Ｍ２と同様に、例えば、撮像装置における撮影またはコンテンツ再生のパラメータの調整に使用される。本例においては、第１の操作部Ｍ１、第２の操作部Ｍ２および第３の操作部Ｍ３のそれぞれに対する操作にそれぞれ割り当てられたパラメータの調整の単位が、相異なるものとされる。
【００９６】
具体的には、第１の操作部Ｍ１への操作に対しては、例えば、表示部３に表示される被写体の画像が第１の操作部Ｍ１の押下時間に応じてシームレスに変化するような画像ズーミングの調整の単位が設定される。また、第２の操作部Ｍ２への操作に対しては、例えば、表示部３に表示される被写体の画像が第２の操作部Ｍ２の押下回数に応じて離散的に変化するような画像ズーミングの調整の単位が設定される。このときの画像ズーミングの調整の単位は、例えば、１倍、１．４倍、２倍、２．８倍、．．．と、対数的に設定される。
【００９７】
一方、第３の操作部Ｍ３への操作に対しては、例えば、第２の操作部Ｍ２の場合と同様に、表示部３に表示される被写体の画像が第３の操作部Ｍ３のホイールｗの回転量に応じて離散的に変化するような画像ズーミングの調整の単位が設定される。
【００９８】
このときの画像ズーミングの調整の単位は、第２の操作部Ｍ２の場合とは異なり、例えば、０．１倍などの等間隔に設定される。
【００９９】
パラメータの調整の単位として、ダイヤル操作を受け付ける第３の操作部Ｍ３に等間隔かつ細かい単位を割り当てるのは、ユーザに対して適度なクリック感をフィードバックさせることにより、ユーザに対して、ズーム倍率の変化を直感的に把握させやすいからである。
【０１００】
したがって、第３の操作部Ｍ３のホイールｗが、あらかじめ定められた角度だけ回転させられるたびに、画像のズーム倍率が、例えば、０．１倍ずつ変化することにより、ユーザは、撮像装置１３に対して、より細かい画像ズーミングを実行させることができる。
【０１０１】
本開示のパラメータ調整装置の適用される電子機器として、例えば、撮像装置が選択される場合、撮像装置が三脚により支持された状態で使用される状況が考えられる。ユーザが撮像装置を三脚により支持させて撮影を行う場合、撮像装置が三脚で支持されることにより同じ構図が保たれる一方、ユーザが構図を自由に変化させにくくなるため、画角をより細かく指定したいというニーズが発生する。
【０１０２】
本例では、パラメータ調整装置がダイヤル操作を受け付ける第３の操作部Ｍ３を備え、例えば、第３の操作部Ｍ３に、パラメータの調整の単位として等間隔かつ細かい単位が割り当てられる。したがって、本開示によれば、撮像装置における、より素早い画像ズーミングや、より細かい画像ズーミングを両立させることができる。
【０１０３】
＜２．第２の実施形態＞
［２−１．パラメータ調整装置の概略的構成］
図８Ａは、第２の実施形態にかかるパラメータ調整装置を備える撮像装置を示す図である。図８Ａでは、撮像装置２０が、動画撮影の機能を有する撮像装置とされ、撮影された動画が、例えば、撮像装置２０の本体部に配置された表示部３により再生可能とされた構成例を示している。
【０１０４】
上述した第１の実施形態では、第１の操作部Ｍ１に対する操作および第２の操作部Ｍ２に対する操作に、画像ズーミングの程度を指定するためのパラメータが割り当てられる構成を例示した。第２の実施形態は、第１の操作部Ｍ１に対する操作に割り当てられたパラメータの調整の単位と、第２の操作部Ｍ２に対する操作に割り当てられたパラメータの調整の単位とが、相異なるものとされる点で、第１の実施形態と共通する。第２の実施形態は、第１の操作部Ｍ１に対する操作および第２の操作部Ｍ２に対する操作に、コンテンツの再生を開始させる箇所を指定するパラメータが割り当てられる点で、第１の実施形態と異なる。
【０１０５】
図８Ｂおよび図８Ｃは、表示部に表示される画像の一例を示す画像図である。
【０１０６】
第２の実施形態では、例えば、撮影された動画の再生開始の位置を指示するための画面（以下、“開始位置指定画面”と適宜称する。）が用意され、例えば、モード切り替えボタンＳｗの押下などにより、表示部３に表示される画面が、開始位置指定画面に遷移される。開始位置指定画面は、図８Ｂおよび図８Ｃに示すように、例えば、再生される動画と重畳して、現在の再生位置がインジケータ２７により表示された画面である。
【０１０７】
パラメータ調整装置が開始位置指定画面を備えることにより、例えば、動画などのコンテンツの再生の場面においても、パラメータ調整装置の第１の軸および第２の軸の両方を有効に活用することができる。
【０１０８】
すなわち、例えば、第１の操作部Ｍ１への操作に対しては、動画の再生開始の位置が第１の操作部Ｍ１の押下時間に応じてシームレスに変化するような、早回しまたは巻き戻しの調整の単位が設定されている。すなわち、ユーザは、第１の操作部Ｍ１を所望の時間だけ連続して操作（押下）することにより、シームレスに変化する画像を確認しながら、動画の再生を開始させる位置を調整することができる。
【０１０９】
第２の操作部Ｍ２への操作に対しては、例えば、動画の再生開始の位置が第２の操作部Ｍ２の押下回数に応じて離散的に変化するような、早回しまたは巻き戻しの調整の単位が設定されている。
【０１１０】
すなわち、例えば、第２の操作部Ｍ２に対する操作に割り当てられたパラメータの調整の単位は、第１の操作部Ｍ１に対する操作に割り当てられたパラメータの調整の単位に対して大とされる。したがって、ユーザは、第２の操作部Ｍ２を所望の回数だけ操作（押下）することにより、離散的に変化する画像を確認しながら、動画の再生を開始させる位置を調整することができる。
【０１１１】
第２の操作部Ｍ２への操作に対する、早回しまたは巻き戻しの調整の単位としては、例えば、コンテンツの単位が挙げられる。この場合、ユーザは、第２の操作部Ｍ２を操作することにより、例えば、複数の動画データを順次切り替えて、それぞれの動画の冒頭の部分を順次確認していくことができる。
【０１１２】
なお、動画などのコンテンツが、例えば、複数のチャプタに区切られている場合には、第２の操作部Ｍ２への操作に対する、早回しまたは巻き戻しの調整の単位として、例えば、チャプタの単位を設定することができる。このとき、第２の操作部Ｍ２への操作は、チャプタ間のジャンプのための操作となる。
【０１１３】
または、例えば、第２の操作部Ｍ２への操作に対する、早回しまたは巻き戻しの調整の単位として、１分単位や５分単位、１０分単位などの適当な時間間隔を設定してもよい。第２の操作部Ｍ２への操作に対する、早回しまたは巻き戻しの調整の単位として、ユーザが、所望する時間間隔を任意に設定できるようにしてもよい。
【０１１４】
図９は、パラメータ調整装置としての入力装置からの指示に対する、電子機器の制御の一例を示すフローチャートである。図９を参照して以下に説明する一連の処理は、例えば、制御部６１により実行される。ここでは、表示部３に表示されている画面が、開始位置指定画面に遷移された状態にあるものとする。
【０１１５】
まず、ステップＳｔ２１において、ユーザによる、入力装置２１への入力があったか否かが判断される。
【０１１６】
ユーザによる入力操作が、第１の軸に配置された第１の操作部Ｍ１に対する操作であった場合には、ステップＳｔ２２において、表示部３に表示される動画が、シームレスに変化させられる。一方、ユーザによる入力操作が、第２の軸に配置された第２の操作部Ｍ２に対する操作であった場合には、ステップＳｔ２３において、表示部３に表示される動画が、例えば、チャプタ単位で離散的に変化させられる。
【０１１７】
次に、ステップＳｔ２４において、パラメータの調整量の変化に応じて、インジケータ２７の画像が書き換えられる。
【０１１８】
以上に説明したように、本開示では、動画の再生を開始させる位置のシームレスな調整と離散的な調整とを、例えば、一の入力装置における左右方向および上下方向に対する操作で実行させることができる。したがって、本開示によれば、動画の再生を開始させる位置のシームレスな調整と離散的な調整とを、同一の操作感で実現することができる。
【０１１９】
さらに、本開示によれば、動画の再生を開始させる位置のシームレスな調整と離散的な調整とがそれぞれ別個の入力装置に割り当てられている場合と比較して、動画の再生を開始させる位置の素早い指定が可能である。
【０１２０】
＜３．第３の実施形態＞
［３−１．パラメータ調整装置の概略的構成］
図１０Ａは、第３の実施形態にかかるパラメータ調整装置を備える撮像装置を示す正面図である。図１０Ｂは、第３の実施形態にかかるパラメータ調整装置を備える撮像装置を示す背面図である。
【０１２１】
上述した第１の実施形態では、第１の操作部Ｍ１に対する操作および第２の操作部Ｍ２に対する操作に、画像ズーミングの程度を指定するためのパラメータが割り当てられる構成を例示した。第３の実施形態は、第１の操作部Ｍ１に対する操作に割り当てられたパラメータの調整の単位と、第２の操作部Ｍ２に対する操作に割り当てられたパラメータの調整の単位とが、相異なるものとされる点で、第１の実施形態と共通する。第３の実施形態は、第１の操作部Ｍ１および第２の操作部Ｍ２が、タッチパネルにより構成される点で、第１の実施形態と異なる。
【０１２２】
第３の実施形態では、図１０Ａに示すように、表示部３３が、タッチパネルの機能を備えるディスプレイとされる。したがって、表示部３３は、ユーザからの入力を受け付けるパラメータ調整装置としての入力装置の機能を備えるとともに、ユーザからの入力に対する処理の結果を表示する。
【０１２３】
撮像装置３０の筺体の内部には、撮像素子を備える撮像部３５が配置されている。撮像部３５に対応して、撮像装置３０の筺体の例えば背面側には、図１０Ｂに示すように、窓部ＡＰが設けられる。なお、筺体に設けられた窓部ＡＰと撮像部３５との間には、必要に応じて、シャッタやレンズなどが配置される。
【０１２４】
図１０Ｃは、表示部に表示される画像の一例を示す画像図である。図１０Ｃは、ズーム設定画面において表示される画像の一例を示している。
【０１２５】
ズーム設定画面において、表示部３３には、例えば、被写体像と現在のズームの倍率を示すインジケータ７とが表示される。なお、図面が煩雑となることを避けるため、図１０Ｃでは、被写体像の図示を省略している。
【０１２６】
第３の実施形態では、被写体像およびインジケータ７のほかに、例えば、レリーズボタンに対応するアイコンＲＢと、例えば、４つの三角形から構成されるアイコンＭとが表示される。
【０１２７】
アイコンＭを構成する４つの三角形のうちの２つであるｍｌおよびｍｒは、例えば、第１の軸に配置されて第１の操作部Ｍ１を構成する。また、アイコンを構成する４つの三角形のうちの残りの２つであるｍｕおよびｍｄは、例えば、第２の軸に配置されて第２の操作部Ｍ２を構成する。
【０１２８】
第１の操作部Ｍ１への操作に対しては、例えば、表示部３３に表示される被写体の画像が第１の操作部Ｍ１の押下時間に応じてシームレスに（連続的に）変化するような画像ズーミングの調整の単位が設定される。また、第２の操作部Ｍ２への操作に対しては、例えば、表示部３３に表示される被写体の画像が第２の操作部Ｍ２の押下回数に応じて離散的に変化するような画像ズーミングの調整の単位が設定される。
【０１２９】
第１の実施形態および第２の実施形態では、第１の操作部Ｍ１への操作および第２の操作部Ｍ２への操作が、機械的に検出された。一方、第３の実施形態では、グラフィカルユーザインターフェース（ＧＵＩ）に対するユーザの接触などにより、第１の操作部Ｍ１への操作および第２の操作部Ｍ２への操作が、検出される。
【０１３０】
すなわち、ユーザは、アイコンＭの第１の操作部Ｍ１に所望の時間だけ触れ続けることにより、シームレスに変化する画像を確認しながら、撮像装置３０におけるズームの倍率を調整することができる。また、ユーザは、アイコンの第２の操作部Ｍ２を所望の回数だけタッチすることにより、離散的に変化する画像を確認しながら、撮像装置３０におけるズームの倍率を調整することができる。
【０１３１】
なお、本開示では、第１の操作部Ｍ１への操作および第２の操作部Ｍ２への操作のそれぞれに対して、単一のパラメータを調整するための機能が割り当てられている。そのため、画像ズーミングの調整を指示するための特別なアイコンなどを表示部に表示させずに、撮像装置に対して、シームレスな画像ズーミングと離散的な画像ズーミングとを組み合わせて実行させることも可能である。
【０１３２】
図１０Ｄは、撮像装置に対する入力操作の他の一例を説明するための概略図である。図１０Ｄでは、画像ズーミングの調整を指示するための特別なアイコンなどが、表示部３３に表示されない構成例を示している。
【０１３３】
この場合、ユーザは、図１０Ｄに示すように、第１の軸または第２の軸にそった“なぞり操作”や、いわゆる“フリック操作”によって、シームレスな画像ズーミングまたは離散的な画像ズーミングを実行させることができる。
【０１３４】
第３の実施形態によれば、特定の軸を備える十字キーなどの操作部材が存在しないデバイス上においても、第１の実施形態または第２の実施形態の場合と同様の機能を実現することができる。
【０１３５】
以上に説明したように、本開示では、相異なる傾きとされる複数の軸のそれぞれに対する操作に、単一のパラメータを調整するための機能が割り振られる。例えば、相異なる傾きの複数の軸を備える十字キーなどの操作部材において、例えば、水平軸および垂直軸などを利用しているので、一の入力装置により、相異なる調整の単位で単一のパラメータを調整することができる。すなわち、ズーム倍率など、パラメータの変化量に意味を持つ設定パラメータの調整において、設定パラメータの調整が、粗い単位による調整または細かい単位による調整のどちらか一方のみに限定されることがない。単一のパラメータの調整における、粗い単位による調整または細かい単位による調整を切り替えるために、キーのリピート操作およびトグル操作といった異なる操作系を用いての操作が必要とされることもない。
【０１３６】
また、パラメータの調整のための操作が、左右や上下といった対称的な操作とされるとともに、操作の結果であるパラメータの調整量の変化が、対称的な操作と関連付けられてユーザに提示されるので、誤操作を防止しながら、直観的な操作感が実現される。したがって、本開示によれば、電子機器のユーザは、単一のパラメータに対する異なる操作を直観的に行うことができる。
【０１３７】
また、本開示によれば、異なる操作デバイスや異なる操作系を設けることなく、一の入力装置により、相異なる調整の単位で単一のパラメータを調整することができる。したがって、静止画の撮影における、目的の画角への素早い設定や、三脚などを用いた場合における微小な画角の設定など、例えば、画角という単一のパラメータに対する異なる操作感を求めるユーザのニーズに応えることができる。
【０１３８】
さらに、本開示の技術は、十字キーやタッチパネルなどの汎用の入力手段に適用することが可能であるため、既存の機器に対して、本開示の技術を適用することも容易である。また、様々な設定値を有する電子機器に対して、特別なレバーやボタンなどを新たに設ける必要もない。すなわち、本開示の技術により、操作部材を削減したり、美感を損なわないようにして機能性を向上させ、電子機器の商品価値を高めたりすることができる。
【０１３９】
このように、本開示によれば、様々な設定値を有する電子機器における操作性を向上させることができる。
【０１４０】
＜４．変形例＞
以上、好適な実施形態について説明してきたが、好適な具体例は、上述した例に限定されるものではなく、各種の変形が可能である。
【０１４１】
上述した実施形態では、パラメータ調整装置を備える撮像装置の例を示したが、パラメータ調整装置の応用は、この例に限られない。本開示のパラメータ調整装置は、例えば、携帯電話やスマートフォン、電子書籍、オーディオプレーヤ、パーソナルコンピュータ（タブレット型、ラップトップ型、デスクトップ型）、携帯情報端末（ｐｅｒｓｏｎａｌ  ｄｉｇｉｔａｌ  ａｓｓｉｓｔａｎｃｅ（ＰＤＡ））、電子辞書、電子手帳、テレビジョン受像機、ビデオゲーム機など、あらゆる電子機器に適用が可能である。さらに、本開示のパラメータ調整装置は、これらの電子機器の本体だけでなく、例えば、リモートコントローラに配置することももちろん可能である。
【０１４２】
また、上述した実施形態では、パラメータ調整装置の適用された撮像装置が、デジタル方式の撮像装置であるものとして説明したが、撮像部がフィルムであっても、本開示の技術は適用が可能である。
【０１４３】
なお、上述の実施形態において挙げた構成、方法、形状および数値などはあくまでも例に過ぎず、必要に応じてこれと異なる構成、方法、形状および数値などを用いてもよい。上述の実施形態の構成、方法、形状および数値などは、本開示の主旨を逸脱しない限り、互いに組み合わせることが可能である。
【０１４４】
例えば、本開示は以下のような構成もとることができる。
（１）
撮影またはコンテンツ再生のパラメータの調整に使用される、第１の軸に配置された第１の操作部と、
前記パラメータの調整に使用される、前記第１の軸とは相異なる傾きの第２の軸に配置された第２の操作部と
を備え、
前記第１の操作部に対する操作に割り当てられた前記パラメータの調整の単位と、前記第２の操作部に対する操作に割り当てられた前記パラメータの調整の単位とが、相異なるパラメータ調整装置。
（２）
前記パラメータが、静止画撮影に用いられるパラメータである（１）に記載のパラメータ調整装置。
（３）
前記パラメータが、動画撮影に用いられるパラメータとされ、
前記第１の操作部および前記第２の操作部のうちの一方が、前記パラメータの調整に使用されるときに、前記第１の操作部および前記第２の操作部のうちのもう一方に対してなされる操作が、無効とされる（１）に記載のパラメータ調整装置。
（４）
前記パラメータが、ズームパラメータである（１）ないし（３）のいずれか１項に記載のパラメータ調整装置。
（５）
前記パラメータが、コンテンツの再生を開始させる箇所を指定するパラメータである（１）に記載のパラメータ調整装置。
（６）
前記第２の操作部に対する操作に割り当てられた前記パラメータの調整の単位が、前記第１の操作部に対する操作に割り当てられた前記パラメータの調整の単位に対して大とされる（１）ないし（５）のいずれか１項に記載のパラメータ調整装置。
（７）
前記第１の操作部に対する操作に割り当てられた前記パラメータの調整の単位が、設定されているパラメータに応じて変化する（１）ないし（６）のいずれか１項に記載のパラメータ調整装置。
（８）
前記第１の軸が、前記第２の軸に対して略直交する軸である（１）ないし（７）のいずれか１項に記載のパラメータ調整装置。
（９）
前記第１の操作部および前記第２の操作部が、十字キーを構成する（８）に記載のパラメータ調整装置。
（１０）
前記第１の操作部および前記第２の操作部が、タッチパネルにより構成される（１）ないし（８）のいずれか１項に記載のパラメータ調整装置。
（１１）
前記パラメータの調整に使用される、第３の操作部をさらに備え、
前記第３の操作部が、ダイヤル操作を受け付ける操作部である（１）ないし（１０）のいずれか１項に記載のパラメータ調整装置。
（１２）
前記第１の操作部に対する操作に割り当てられた前記パラメータの調整の単位と、前記第２の操作部に対する操作に割り当てられた前記パラメータの調整の単位と、前記第３の操作部に対する操作に割り当てられた前記パラメータの調整の単位とが、それぞれ異なる（１１）に記載のパラメータ調整装置。
（１３）
表示部をさらに備え、
前記表示部に表示される画面が、前記第１の操作部に対する操作および前記第２の操作部に対する操作のそれぞれに対して前記パラメータの調整の単位として相異なる調整の単位が割り当てられるときに、前記第１の軸および前記第２の軸に対して相異なる調整の単位を割り当てるための画面に遷移される（１）ないし（１２）のいずれか１項に記載のパラメータ調整装置。
（１４）
前記パラメータが、インジケータにより前記表示部に表示される（１３）に記載のパラメータ調整装置。
（１５）
撮像部をさらに備える（１）ないし（１４）のいずれか１項に記載のパラメータ調整装置。
（１６）
撮影またはコンテンツ再生のパラメータの調整に使用される、第１の軸に配置された第１の操作部と、前記パラメータの調整に使用される、前記第１の軸とは相異なる傾きの第２の軸に配置された第２の操作部とに対して、
前記第１の操作部に対する操作に割り当てられた前記パラメータの調整の単位および前記第２の操作部に対する操作に割り当てられた前記パラメータの調整の単位を、相異なる大きさとするパラメータ調整方法。
（１７）
撮影またはコンテンツ再生のパラメータの調整に使用される、第１の軸に配置された第１の操作部と、前記パラメータの調整に使用される、前記第１の軸とは相異なる傾きの第２の軸に配置された第２の操作部とに対して、
前記第１の操作部に対する操作に割り当てられた前記パラメータの調整の単位および前記第２の操作部に対する操作に割り当てられた前記パラメータの調整の単位を、相異なる大きさとすること
をコンピュータに実行させるためのプログラムが記録された、コンピュータによる読み取りが可能な記録媒体。
【符号の説明】
【０１４５】
１，１ａ，１ｃ，２１・・・入力装置
３，３３・・・表示部
５・・・撮像部
７，２７・・・インジケータ
９・・・記憶装置
１０，１１，１３，２０，３０・・・撮像装置
１０１・・・パラメータ調整装置
Ｍ１・・・第１の操作部
Ｍ２・・・第２の操作部
Ｍ３・・・第３の操作部
【図１】
2013125132.tif 000003
【図２】
2013125132.tif 000004
【図３】
2013125132.tif 000005
【図４】
2013125132.tif 000006
【図５】
2013125132.tif 000007
【図６】
2013125132.tif 000008
【図７】
2013125132.tif 000009
【図８】
2013125132.tif 000010
【図９】
2013125132.tif 000011
【図１０】
2013125132.tif 000012
【国際調査報告】
2013125132.tif 000013
2013125132.tif 000014
2013125132.tif 000015
2013125132.tif 000016